(57)【要約】【課題】袋用クリップの保管場所が常に特定でき、一々探す必要がなく、また誰でも簡単に素早く袋を封止できるクリップ装置を提供する。【解決手段】弾性力のある細長い板状のものでできたクリップ、および、クリップを積み重ねて収納するケースとクリップをケースから繰り出し保持する装置で構成されている。【選択図】  図１
2004224021.tif 000002
【特許請求の範囲】
【請求項１】
袋用クリップ（１）を積み重ねて収納できる、形状及び大きさとしたケース（２）、ケース（２）の一部にクリップ（１）を順次取り出し保持することができる繰り出し保持部（３）を設けた繰り出し式クリップケース。
【発明の詳細な説明】
【０００１】
【発明の属する技術分野】
この発明は、家庭の台所で食品等の袋を簡単且つ迅速に封をすることができる繰り出し式クリップケースに関するものである。
【０００２】
【従来の技術】
従来より家庭で余った食品を袋に入れて保存する場合、輪ゴムや凹凸のはめ合わせ式クリップなどを使用して、袋に封をしていた。
【０００３】
【発明が解決しようとする課題】
輪ゴムで封をする場合は、袋をぐるぐる巻きにしなければならず手間がかかり、はずす時も面倒であった。またプラスチック製はめ合わせ式クリップを使用する場合は、大きい袋や生地が厚い袋の場合など使用できないことがあった。
また保管場所もどこにあるかわからず探すのに苦労することが多かった。
この発明が解決しようとする課題は、常に保管場所が特定でき、一々探す必要がなく、誰でも簡単に取り出し封止できるクリップ装置を提供することである。
【０００４】
【課題を解決するための手段】
従来、袋に封をする場合は、片手に袋を持ちもう片方の手でクリップを持って封をするのが通常であるが、本発明はクリップを持たず、クリップを固定すれば袋が両手で持て、作業がしやすく素早く封ができると考え創作したものである。
クリップ（１）を積み重ねて収納できる形状及び大きさとしたケース（２）を作る。そして、ケース（２）の下部にクリップ（１）を順次取り出し保持するための繰り出し保持部（３）を設ける。
本発明は、以上の構成よりなる繰り出し式クリップケースである。
【０００５】
【発明の実施の形態】
以下、本発明の実施の形態について図１を参照して説明する。
クリップ（１）は、はさむ部分の先端がＹ字状に口を開き、縦に細い溝の入った弾性力のあるプラスチックか、または、金属製の板もしくは硬質の針金などを用いる。クリップ（１）の大きさは幅が２４ミリ前後、長さは７０ミリ前後、厚さは５ミリ前後に設定しているが、大きさは材質や使用目的により変えてもよい。
ケース（２）はこのクリップ（１）を１０〜２０個重ねて収納できる形状と大きさで、プラスチック製でできている。ケース（２）の正面側は透明で中のクリップ（１）が見えるようになっている。
ケース（２）の下側のレバー（４）を押すと、リンク機構の働きで押し出しピン（５）が、ケース（２）の一番下のクリップ（１）を扇状に押し出し保持する繰り出し保持部（３）が設けられている。
これを使用するときは、まず、ケース（２）の裏面に取り付けられた、磁石または両面テープにてケース（２）を冷蔵庫のドアの表側や他の壁面に固定する。
次に、ケース（２）の中にクリップ（１）を投入する。
そして、ケース（２）の下側にあるレバー（４）を押す。すると、ケース（２）の下方の開口部より一番下のクリップ（１）が、押し出しピン（５）によりガイドシャフト（６）を中心にして扇状に押し出されて、ケース（２）に対して直角の位置まで飛び出し保持される。
そこで、封をする袋の先を束ねて、出てきたクリップ（１）開口部の先から溝の後部まで押し込む。このときクリップ（１）は冷蔵庫の適度の高さにケース（２）により固定されているので、袋を容易にクリップ（１）に差し込むことができる。
そして、この袋ごとクリップ（１）をケース（２）から手前に引き出せばよい。
クリップ（１）を袋からはずすときは、クリップ（１）の後ろ側を持って引き抜く。そして、はずしたクリップ（１）はケース（２）の上部の投入口（７）よりケース（２）の中に投入する。
このとき、クリップ（１）の後ろ側の凹部をガイドシャフト（６）に突っ込み９０度回して投入口（７）より投入するとクリップ（１）の向きを反対に入れたり、ケース（２）の内壁に引っ掛かることがない。
【０００６】
【実施例】
実施例１
図１に基づいて実施例１について説明する。
図１において、ケース（２）の端の方に天板から底板まで縦に金属製のガイドシャフト（６）が設けられており、ケース（２）の前面には上部には投入口（７）、そして、下部には繰り出し口（８）とが開いている。
このケース（２）にはクリップ（１）を１０枚から２０枚収納することができる。また、このケース（２）の前後左右の幅はクリップ（１）が整然と収まるようにちょうど入る大きさとなっている。
そして、ガイドシャフト（６）は底板を貫通し、レバー（４）の支点軸にもなっている。レバー（４）と底板との間にはレバー（４）を常に元の位置に戻す働きをするバネ（９）が設けられている。
そして、レバー（４）の先端には連結ピン（１０）によりリンク（１１）が回転自在に取り付けられている。リンク（１１）は中央部で支点ピン（１２）により底板に固定されており、リンク（１１）の別の端には押し出しピン（５）が設けられている。
これを使用するときは、まず、クリップ（１）を投入口（７）、またはケース（２）の前面の蓋を開けて中に投入する。
そして、レバー（４）を押すと支点ピン（１２）を中心にリンク（１１）が作動し、押し出しピン（５）を手前に押し出す。
このとき、押し出しピン（５）は最下部のクリップ（１）を一枚だけ押し出し、クリップ（１）はガイドシャフト（６）を支点として９０度扇状に回転してケース（２）の繰り出し口（８）より押し出されてケース（２）の側面に当たり止まる。そこで、袋を束ねてクリップ（１）に差し込む。
なお、押し出しピン（５）はバネ（９）により元の位置に戻る。
実施例２
図４に基づいて実施例２を説明する。
実施例２のものでは実施例１のようなガイドシャフト（６）はなく、また、ケース（２）の前面上部に投入口（７）もない。ただ、ケース（２）の下側に繰り出し保持部（３）が設けられているだけである。
この繰り出し保持部（３）はクリップ（１）を載せて回転して出てくるクリップ台（１３）とクリップ台（１３）を回転させるバネ（９）および、クリップ台（１３）をクリップ（１）の装填位置に固定するためのロックボタン（１４）により構成されている。
これを使用するときは、まず、ケース（２）の前面の蓋を開けて中にクリップ（１）を投入する。次に、ロックボタン（１４）を押すとバネ（９）の力で一番下のクリップ（１）だけが、クリップ台（１３）の上に載って支点を中心に９０度回転して出てきて止まる。そして、袋をクリップ（１）の溝に押し込んで封をする。袋をクリップ（１）で封をした状態で取り出すと、クリップ台（１３）は出たままになっている。そこで、元の位置まで押し込みロックボタン（１４）で固定すると、次のクリップ（１）がクリップ台（１３）の上に落下して装填される。
【０００７】
【発明の効果】
本発明品を冷蔵庫など台所の一定の場所に設置すれば、クリップの保管場所が明確になり探す手間が省ける。
またレバーを押すだけでクリップが出てきて、封をしやすい位置に保持されるので、袋をクリップに差し込むだけでクリップを持つ必要がなく、非常に簡単に素早く封をすることができる。
【図面の簡単な説明】
【図１】実施例１の正面図
【図２】実施例１で使用するクリップの平面図
【図３】実施例１のケース本体の横断面図
【図４】実施例２の正面図
【図５】実施例２で使用するクリップの平面図
【図６】実施例２のケース本体の横断面図
【符号の説明】
１  クリップ
２  ケース
３  繰り出し保持部
４  レバー
５  押し出しピン
６  ガイドシャフト
７  投入口
８  繰り出し口
９  バネ
１０  連結ピン
１１  リンク
１２  支点ピン
１３  クリップ台
１４  ロックボタン
【図１】
2004224021.tif 000003
【図２】
2004224021.tif 000004
【図３】
2004224021.tif 000005
【図４】
2004224021.tif 000006
【図５】
2004224021.tif 000007
【図６】
2004224021.tif 000008